(57)【要約】【課題】緑化ボードについて、廃棄する際の環境への負荷を低減すると共に、その施工性を容易化する。【解決手段】緑化ボード５は、保水性を有する木質繊維板１９からなる保水ボード１３と、保水ボード１３の表面に設けられると共に複数の孔を有する有孔シート２８とを備えている。そして、植物１０となる種が、有孔シート２８によって保水ボード１３上に保持されている。【選択図】図１
2012223159.tif 000002
【特許請求の範囲】
【請求項１】
植物が生育される緑化ボードであって、
保水性を有する木質繊維板からなる保水ボードと、
上記保水ボードの表面に設けられると共に複数の孔を有する有孔シートとを備え、
上記植物となる種が、上記有孔シートによって上記保水ボード上に保持されている
ことを特徴とする緑化ボード。
【請求項２】
請求項１に記載された緑化ボードにおいて、
上記植物の種は、上記有孔シートに播種されている
ことを特徴とする緑化ボード。
【請求項３】
請求項１又は２に記載された緑化ボードにおいて、
上記保水ボードにおける上記有孔シート側の表面には、複数の穴部又は複数の溝部が形成されている
ことを特徴とする緑化ボード。
【請求項４】
請求項３に記載された緑化ボードにおいて、
上記複数の穴部又は複数の溝部には、肥料が設けられている
ことを特徴とする緑化ボード。
【請求項５】
請求項１乃至４の何れか１つに記載された緑化ボードにおいて、
上記保水ボードにおける上記有孔シートと反対側には、複数の上記保水ボードを互いに固定するための連結部材が設けられている
ことを特徴とする緑化ボード。
【請求項６】
植物が生育される緑化ボードを複数備えた緑化システムであって、
上記緑化ボードは、保水性を有する木質繊維板からなる保水ボードと、上記保水ボードの表面に設けられると共に複数の孔を有する有孔シートとを備え、
上記植物となる種が、上記有孔シートによって上記保水ボード上に保持されている
ことを特徴とする緑化システム。
【請求項７】
請求項６に記載された緑化システムにおいて、
複数の上記緑化ボードは、上記保水ボードにおける上記有孔シートと反対側に設けられた連結部材をそれぞれ有し、上記連結部材によって互いに連結されている
ことを特徴とする緑化システム。
【発明の詳細な説明】
【技術分野】
【０００１】
本発明は、植物が生育される緑化ボード及びそれを備えた緑化システムに関するものである。
【背景技術】
【０００２】
近年、植物を育生するための緑化ボード及びそれを備えた緑化システムがＣＯ２吸収や省エネルギー化等の環境向上を図る手段として注目されている。緑化システムは、例えば建物の屋上等に設置されるが、その設置場所に加わる荷重を低減するために、軽量化することが望まれている。
【０００３】
そこで、不織布やフェルトのような樹脂繊維をマット状に成型した保水用ボードが提案されており、土壌の一部を軽量な保水用ボードに置き換える試みが行われている。そして、保水用ボードの上に載積された土壌層において、例えば芝生等の植物を生育するようにしている。
【０００４】
しかし、上記保水用ボードは樹脂繊維からなるため、その保水用ボード自体を廃棄する際に多量のＣＯ２が排出されるという問題がある。さらに、上記保水用ボードには芝生等の根が入り込んでしまうため、例えば芝生の一部を他の植物に入れ替えるような場合には、保水用ボードごと芝生を取り外し、新たな保水用ボードと共に他の植物を設置する必要がある。この芝生の根が入り込んだ保水用ボードは、産業廃棄物として埋め立て処理しなければならず、環境配慮の観点で問題がある。
【０００５】
また、上記保水用ボードは、樹脂繊維によって構成されているので、保水性に優れるものの、不必要に水分を保持してしまう問題も有している。例えば、降雨等により大量の水が保水用ボードに供給されたときには、長期にわたって水溜りのような状態が続いてしまうこととなる。
【０００６】
一方、吸水ポリマーを含有する保水板によって、大量に供給された水を内部に保持することも提案されている。この保水板では、保水した水の蒸散を抑制できるが、吸水ポリマーに保持されている水分を植物が直接に利用できないため、合理的とはいえない。
【０００７】
これに対し、特許文献１では、木質繊維板の全体に界面活性剤を添加し、保水性を向上させた植物栽培用の保水資材が提案されている。この保水資材によれば、植物が保水された水分を直接に利用することができる。そうして、根及び土壌からなる部分と、茎及び葉からなる部分とを有する薄層基盤化植物を、上記保水資材の表面に載置することによって緑化システムを施工するようにしていた。
【先行技術文献】
【特許文献】
【０００８】
【特許文献１】特開２００９−１８３１７７号公報
【発明の概要】
【発明が解決しようとする課題】
【０００９】
しかし、上記特許文献１の緑化システムでは、予め複数の保水資材の表面に薄層基盤化植物を載置して薄層基盤化植物の根が保水資材に活着した上で、その複数の保水資材を現場に設置するか、又は、現場で複数の保水資材を設置した後に、その保水資材の上に薄層基盤化植物をさらに設置する必要があるため、施工に大きな手間がかかる問題がある。
【００１０】
本発明は、斯かる点に鑑みてなされたものであり、その目的とするところは、植物が生育される緑化ボードについて、廃棄する際の環境への負荷を低減すると共に、その軽量化を図って施工性を大幅に高めることにある。
【課題を解決するための手段】
【００１１】
上記の目的を達成するために、この発明では、保水ボードの表面に設けた有孔シートによって植物の種を保水ボード上に保持するようにした。
【００１２】
具体的に、第１の発明は、植物が生育される緑化ボードを対象としている。そして、保水性を有する木質繊維板からなる保水ボードと、保水ボードの表面に設けられると共に複数の孔を有する有孔シートとを備え、植物となる種が、有孔シートによって保水ボード上に保持されている。
【００１３】
この第１の発明では、有孔シートの表面側から供給された水、又は、保水ボードに保水されている水を吸収した種が、有孔シートの孔から芽を出し、植物として育生される。ここで、保水ボードは木質繊維板からなるため、保水ボードに植物の根が絡んでいたとしても、当該植物の根と共に保水ボードを燃焼して廃棄することが可能となり、廃棄する際の環境への負荷が容易に低減される。
【００１４】
また、木質繊維材からなる保水ボードは軽量であるものの、その表面が硬いため、土壌と同じように種を埋め込むことは困難であるが、本発明では、種を有孔シートによって保水ボード上に好適に保持することができる。さらに、現場への施工前に予め保水ボードの表面に薄層基盤化植物の根を活着させたり、現場に保水ボードを設置した後にその保水ボードの表面に薄層基盤化植物を載置する作業が不要となる。したがって、緑化ボードを軽量な構成としながらも薄層基盤化植物等の設置が不要となるため、その施工性を大幅に高めることが可能になる。
【００１５】
第２の発明は、上記第１の発明に係る緑化ボードにおいて、植物の種は有孔シートに播種されている。
【００１６】
この第２の発明では、植物の種を有孔シートによって適切に保水ボード上で保持することが可能になる。
【００１７】
第３の発明は、上記第１又は第２の発明に係る緑化ボードにおいて、保水ボードにおける有孔シート側の表面には、複数の穴部又は複数の溝部が形成されている。
【００１８】
この第３の発明では、保水ボードの表面に複数の穴部又は複数の溝部が形成されているので、種から発芽した植物の根をその穴部又は溝部に容易に活着させることが可能になる。
【００１９】
第４の発明は、上記第３の発明に係る緑化ボードにおいて、複数の穴部又は複数の溝部には、肥料が設けられている。
【００２０】
この第４の発明では、植物の根が活着し得る複数の穴部又は複数の溝部に肥料を設けるようにしたので、好適に植物に栄養を与えてその育生を促進させることが可能になる。
【００２１】
第５の発明は、上記第１乃至第４の発明の何れか１つに係る緑化ボードにおいて、保水ボードにおける有孔シートと反対側には、複数の保水ボードを互いに固定するための連結部材が設けられている。
【００２２】
この第５の発明では、連結部材によって複数の保水ボードが互いに固定されることにより、各緑化ボードの配置ずれが防止される。
【００２３】
第６の発明は、植物が生育される緑化ボードを複数備えた緑化システムを対象としている。そして、緑化ボードは、保水性を有する木質繊維板からなる保水ボードと、保水ボードの表面に設けられると共に複数の孔を有する有孔シートとを備え、植物となる種が有孔シートによって保水ボード上に保持されている。
【００２４】
この第６の発明では、保水ボードに保水されている水を吸収した種が、有孔シートの孔から芽を出し、植物として育生されることとなる。そして、保水ボードは木質繊維板からなるため、廃棄する際の環境への負荷が容易に低減される。しかも、緑化ボードを軽量な構成としながらも薄層基盤化植物等の設置が不要となるため、その施工性を大幅に高めることが可能になる。
【００２５】
第７の発明は、上記第６の発明に係る緑化システムにおいて、複数の緑化ボードは、保水ボードにおける有孔シートと反対側に設けられた連結部材をそれぞれ有し、連結部材によって互いに連結されている。
【００２６】
この第７の発明では、連結部材によって複数の緑化ボードが互いに連結されるため、緑化システムにおける各緑化ボードの配置ずれが防止される。
【発明の効果】
【００２７】
第１及び第６の発明によると、保水ボードの表面に設けた有孔シートによって植物の種を保水ボード上に保持することにより、保水ボードが木質繊維板からなるため、廃棄する際の環境への負荷を容易に低減することができ、しかも、緑化ボードを軽量な構成としなつつ薄層基盤化植物等の設置が不要となるため、その施工性を大幅に高めることができる。
【００２８】
第２の発明によると、植物の種を有孔シートによって適切に保水ボード上で保持できる。
【００２９】
第３の発明によると、保水ボードの表面に複数の穴部又は複数の溝部が形成されているので、種から発芽した植物の根をその穴部又は溝部に容易に活着させることができる。
【００３０】
第４の発明によると、植物の根が活着し得る複数の穴部又は複数の溝部に肥料を設けるようにしたので、好適に植物に栄養を与えてその育生を促進させることができる。
【００３１】
第５及び第７の発明によると、連結部材によって複数の保水ボードが互いに固定されることにより、各緑化ボードの配置ずれを防止することができる。
【図面の簡単な説明】
【００３２】
【図１】図１は、本実施形態１における緑化ボードの芝生が生育された状態を示す斜視図である。
【図２】図２は、本実施形態１における緑化ボードの芝生が生育される前の状態を示す斜視図である。
【図３】図３は、有孔シートを装着する前の保水ボード及び連結部材を示す斜視図である。
【図４】図４は、保水ボードの裏面を示す平面図である。
【図５】図５は、連結部材を示す斜視図である。
【図６】図６は、緑化ボードの外観を示す正面図である。
【図７】図７は、本実施形態１における緑化システムの構造を示す断面図である。
【図８】図８は、緑化ボードの配置を示す平面図である。
【図９】図９は、保水ボードの構造を示す断面図である。
【図１０】図１０は、保水ボードの構造を示す断面図である。
【図１１】図１１は、本実施形態２における緑化システムの構造を示す断面図である。
【図１２】図１２は、変形例の保水ボード及び連結部材を示す斜視図である。
【発明を実施するための形態】
【００３３】
以下、本発明の実施形態を図面に基づいて詳細に説明する。尚、本発明は、以下の実施形態に限定されるものではない。また、各図面は、正確な寸法に対応しておらず、本発明を容易に理解し得るように概略的に記載されている。
【００３４】
《発明の実施形態１》
図１〜図１０は、本発明の実施形態１を示している。
【００３５】
図１は、本実施形態１における緑化ボード５の芝生が生育された状態を示す斜視図である。図２は、本実施形態１における緑化ボード５の芝生が生育される前の状態を示す斜視図である。図３は、有孔シート２８を装着する前の保水ボード１３及び連結部材４０を示す斜視図である。
【００３６】
図４は、保水ボード１３の裏面を示す平面図である。図５は、連結部材４０を示す斜視図である。図６は、緑化ボード５の外観を示す正面図である。図７は、本実施形態１における緑化システム１の構造を示す断面図である。図８は、緑化ボード５の配置を示す平面図である。図９及び図１０は、保水ボード１３の構造を示す断面図である。
【００３７】
本実施形態１における緑化システム１は、芝生等の植物１０を育生するための緑化システムであって、図７に示すように、植物１０が生育される複数の緑化ボード５と、緑化ボード５の下に設けられたシート状物としての透水耐根シート層２７とを備えている。
【００３８】
本実施形態１の緑化システム１は、例えば建物の屋上等を構成するコンクリートスラブ１７上に設けられている。そのことにより、建物の屋上は緑化システム１によって緑化されている。
【００３９】
（透水耐根シート層）
透水耐根シート層２７は、厚みが０．１ｍｍ程度である例えば東洋紡株式会社の「コスモアングラス」（登録商標）等のポリエステル不織布によって構成され、コンクリートスラブ１７の表面に設置されている。透水耐根シート層２７は、水を透過させる一方、植物１０の根を通さないように構成されたシートである。この透水耐根シート層２７を設けることにより、透水耐根シート層２７と緑化ボード５との間を適度に保水し、緑化ボード５の裏面側に水を供給することが可能になる。また、設置面であるコンクリートスラブ１７表面を、植物１０の根の侵入から確実に保護し得る。
【００４０】
透水耐根シート層２７には、耐根性及び透水性を有する種々のシートを適用できる。例えば厚さ０．１ｍｍ〜０．５ｍｍ程度の樹脂不織布、密に織られた樹脂織布、又は綿布等を適用することが可能である。このような材料の他の例としては、例えばビルマテル株式会社のスパンボンドポリエステル樹脂不織布である「エコロベース」（登録商標）等の透水シート等が挙げられる。
【００４１】
（緑化ボード）
緑化ボード５は、図１及び図２に示すように、保水性を有する保水ボード１３と、保水ボード１３の表面に設けられた有孔シート２８と、保水ボード１３における有孔シート２８と反対側に設けられた連結部材４０とを有している。
【００４２】
＜保水ボード＞
保水ボード１３は、比重が０．０５〜０．３程度であるいわゆるインシュレーションボードによって好適に構成される。インシュレーションボードとは、長繊維の木質繊維をバインダーやワックスとともに湿式抄造し、板状に成型した木質繊維板１９である。通常、インシュレーションボードは、耐水性を向上させるためにワックスが内添されており、多少の撥水性を有している。したがって、本実施形態では、界面活性剤等によって保水ボード１３の濡れ性を向上させ、保水ボード１３を容易に保水状態となるようにしている。このような界面活性剤としては、例えば、株式会社ハイポネックスジャパンの「ワターイン」（登録商標）や「ワターインキレート」（商品名）を適用することができる。
【００４３】
保水ボード１３は、例えば縦及び横の長さがそれぞれ９０ｃｍである矩形板状に形成され、その厚みが１１ｍｍ程度である。保水ボード１３は、図９に示すように、撥水性を有するインシュレーションボードにおける少なくとも透水耐根シート層２７と反対側の表層部に、親水性を有する親水層２０が形成されている。親水層２０の厚みは、例えば５ｍｍ程度とすることが可能である。こうして、保水ボード１３は、保水性を有する木質繊維板１９によって構成されている。
【００４４】
保水ボード１３は、施工後の緑化システム１を構成した状態で、その全体が親水層２０となっているが、図９に示すように、施工前にはインシュレーションボードの少なくとも一部の表層部に親水層２０が形成される一方、その他の部分が撥水性を有する撥水層２１が形成されている。
【００４５】
例えば、施工前の保水ボード１３は、図９に示すように、透水耐根シート層２７と反対側となる表層部のみに親水層２０が形成されていてもよく、図１０に示すように、表層部の全体が親水層２０となり、その内側部分が撥水層２１となるように形成してもよい。また、施工前の保水ボード１３は、その全体が親水性とされていてもよい。
【００４６】
ここで、保水ボード１３を構成する木質繊維板１９の比重は、０．０５未満であると、その上を人が歩行するための積載荷重に対する耐性が不足するだけでなく、保水量が大幅に少なくなってしまう。一方、０．３５を越えると、比重が高すぎて植物の根の活着性が低下する。したがって、木質繊維板１９の比重は０．０５〜０．３５とされている。
【００４７】
また、この木質繊維板１９の厚みは、１０ｍｍ未満であると、保水量が大幅に不足する一方、２５ｍｍを越えると、不必要にコストが上昇するため、１０ｍｍ〜２５ｍｍとされている。
【００４８】
複数の保水ボード１３は、その一部を図８に示すように、マトリクス状に配置され、全体として平面状に配置されている。
【００４９】
また、図３に示すように、保水ボード１３における有孔シート２８側（つまり、透水耐根シート層２７と反対側）の表面には、複数の穴部４３が形成されていてもよい。穴部４３の大きさは例えば直径が約２ｍｍであり、深さが約３ｍｍである。穴部４３を形成することにより、植物１０の根の活着性を高めることができる。さらに、これら複数の穴部４３には、肥料がそれぞれ設けられている。肥料は芝生用の粒状肥料である。穴部４３に肥料が入れられた保水ボード１３の表面には澱粉を塗布して乾燥させた。そのことにより、肥料は保水ボード１３に固定されている。
【００５０】
一方、図４に示すように、保水ボード１３の裏面側には、複数の溝部５０が形成されている。複数の溝部５０はそれぞれ例えば直線状に形成され、その溝部５０の両端部が保水ボード１３の裏面における異なる２辺に開放端として形成されている。
【００５１】
溝部５０の幅は１ｍｍ〜５ｍｍ程度であり、溝部５０の深さは１ｍｍ以上であって保水ボード１３の厚みの半分程度以下である。溝部５０の寸法や本数は、緑化ボード５の使用態様に応じて、その強度が確保できるように規定されている。本実施形態における溝部５０は、幅が約２ｍｍであって深さが約３ｍｍであり、例えば１０ｃｍ間隔で互いに平行に配置されている。また、溝部５０は、保水ボード１３の対向する２辺と平行に延びている。
【００５２】
溝部５０は１本でもよいが、本数が多いほど均一に保水ボード１３の裏面に水を供給できる点で好ましい。溝部の本数を増やす場合には、その深さが大きくなると強度が低下するため、１ｍｍ〜３ｍｍ程度の深さとして強度を確保することが好ましい。一方、溝深さを１ｍｍよりも浅くすることは、保水ボード１３が吸水して膨張した際に溝形状を維持できなくなる虞があるため、好ましくない。
【００５３】
このように複数の溝部５０を設けることにより、隣り合う緑化ボード５同士の間等から流下した水を当該溝部５０により導いて、保水ボード１３の裏面全体に水を供給することが可能になる。
【００５４】
＜有孔シート＞
有孔シート２８は、図２に示すように、保水ボード１３の親水層２０が形成されている表面を覆うように設けられており、複数の孔を有するシートによって構成されている。有孔シート２８は、例えば樹脂不織布、又は麻もしくはジュート等の植物由来の繊維織物等によって好適に形成することができる。尚、これらの樹脂不織布や植物由来の繊維織物等を組み合わせて有孔シート２８を構成してもよい。
【００５５】
本実施形態における有孔シート２８は、厚みが０．１ｍｍであるポリ乳酸樹脂の不織布によって構成されている。ポリ乳酸樹脂は、いわゆる生分解性プラスチックであって、１ヶ月〜１年程度で土壌に分解される。
【００５６】
有孔シート２８の表面には、多数の芝生の種２９が播種されており、澱粉のりによって固定されている。そして、有孔シート２８は、保水ボード１３と共に連結部材にネジ等の固定部材４４によって一体に固定されている。こうして、多数の種２９が有孔シート２８によって保水ボード１３上に保持されている。また、他の実施例として、２枚の有孔シート２８の間に種２９を挟み込むように播種し、これを保水ボード１３上に保持してもよい。
【００５７】
＜連結部材＞
連結部材４０は、複数の保水ボード１３を互いに固定するためのものであり、図１、図２、図５及び図６に示すように、保水ボード１３と略同じ大きさを有する矩形板状の樹脂部材によって構成されている。連結部材４０は、保水ボード１３における有孔シート２８と反対側に設けられている。
【００５８】
連結部材４０の側面には、側方に突出した板状の突起部４１と、この突起部４１と略同じ幅を有する切欠部４２とがそれぞれ複数形成されている。突起部４１には、この突起部４１を上下に貫通する貫通孔４５が形成されている。一方、切欠部４２には、図６に示すように、下方に突出したピン４７が形成されている。
【００５９】
そうして、連結部材４０突起部４１が、他の連結部材４０の切欠部４２に嵌め込まれると共にこの切欠部４２のピン４７が当該突起部４１の貫通孔４５に嵌挿されることにより、各連結部材４０同士が互いに連結されるようになっている。
【００６０】
この連結部材４０による連結構造は、突起部４１を切欠部４２に着脱不可能に連結する構成としてもよく、突起部４１が切欠部４２に着脱可能に連結する構成としてもよい。連結部材４０が互いに着脱可能であれば、一部の植物１０が剥がれたり枯れたりした場合に、その部分の緑化ボード５のみを新たなものに交換することができる。
【００６１】
また、連結部材４０には、図５に示すように、保水ボード１３側の表面に多数の貫通孔４６が形成されている。これにより、保水ボード１３の表面に水たまりができることなく、水はけのよい緑化システムを供給することができる。
【００６２】
（植物）
植物１０は、図１に示すように、緑化ボード５の有孔シート２８から発芽した芽が生育したものである。植物１０の根は保水ボード１３に活着している。すなわち、保水ボード１３の表面には、植物１０が直接に植生されている。植物１０は、その上で人間が歩いたり運動したりすることを考慮すると、芝生がもっとも好適である。
【００６３】
植物１０の上を人間が歩いたりしない場合には、つる性植物や、その他草花などを植物１０としてもよい。また、苔を植物１０としてもよいが、苔は根がなく剥がれやすいため、特に緑化ボード５を壁面等に載架する場合や、緑化ボード５を屋外に設置する場合等には、例えば、その表面を網状シートで覆ったり、網状シートと保水ボード１３とを固定して一体化しておくことが望ましい。
【００６４】
−施工方法−
次に、緑化システム１の施工方法について説明する。本実施形態では、建物の屋上等におけるコンクリートスラブ１７上に緑化システム１を形成する。
【００６５】
まず、コンクリートスラブ１７の表面に透水耐根シート層２７を配設する。その後、複数の緑化ボード５を図８に示すようにマトリクス状に配置させる。
【００６６】
そこで、予め複数の緑化ボード５を形成しておく。まず、保水ボード１３を形成するために、撥水性を有する木質繊維板１９の裏面側（つまり、透水耐根シート層２７側）に複数の溝部５０を形成する。一方、木質繊維板１９の表面側に複数の穴部４３を形成する。
【００６７】
次に、木質繊維板１９に界面活性剤を含む水を接触させて、木質繊維板１９に撥水性を有する撥水層２１を残しつつ、この木質繊維板１９の少なくとも一部の表層部に親水性を有する親水層２０を形成する。具体的には、界面活性剤「ワターイン」（登録商標）を５００倍に希釈した水溶液に木質繊維板１９を浮かべたり、漬けたりする。木質繊維板１９を浮かべると、その水に接した部分から木質繊維板１９は徐々に保水されていく。そうして、表面から５ｍｍ程度を保水状態として親水層２０を形成する。こうして、保水ボード１３を形成する。
【００６８】
上述のように、施工前の保水ボード１３は、図９に示すように、透水耐根シート層２７と反対側となる表層部のみに親水層２０を形成していてもよく、図１０に示すように、表層部の全体を親水層２０とする一方、その内側部分が撥水層２１となるように形成してもよい。
【００６９】
次に、穴部４３に肥料を詰めた後に、有孔シート２８を保水ボード１３の表面側に配置すると共に連結部材４０を保水ボード１３の裏面側に配置した状態で、有孔シート２８、保水ボード１３及び連結部材４０にネジ等の固定部材４４を取り付けて、これらを互いに固定する。
【００７０】
続いて、有孔シート２８に澱粉のりを塗布し、その澱粉のりの表面に多数の芝生の種２９を播種して乾燥させる。こうして、種２９を保水ボード１３上で有孔シート２８によって保持させる。
【００７１】
尚、多数の種２９を予め澱粉のり等により保持させておいた有孔シート２８を、保水ボード１３の表面に設けるようにしてもよい。このことにより、多数の種２９を一括して有孔シート２８に保持させることができるため、緑化ボード５を容易に製造することが可能になる。
【００７２】
また、複数の種２９を保水ボード１３の表面と有孔シート２８とによって狭持するようにしてもよい。そのことにより、種２９予め有孔シート２８に播種しないので、有孔シート２８自体を容易に製造できる。
【００７３】
こうして形成した複数の緑化ボード５を、連結部材４０によって連結させながら透水耐根シート層２７の表面に設置していく。また、連結部材４０の端部を固定部材によりコンクリートスラブ１７の床面に固定した。
【００７４】
このようにして、緑化システム１を施工する。施工した緑化ボード５の表面に散水すると、約２週間で芝生の種２９が発芽し、２ヶ月後には緑化システム１の全面が芝生で覆われた。そうして、土壌を使用しないで、飛躍的に軽量な緑化システム１を実現できる。
【００７５】
したがって、この実施形態１によると、まず、保水ボード１３が木質繊維板１９からなるため、保水ボード１３に植物１０の根が絡んでいたとしても、当該植物１０の根と共に保水ボード１３を燃焼して廃棄することが可能となり、廃棄する際の環境への負荷を容易に低減することができる。
【００７６】
しかも、有孔シート２８によって保水ボード１３上に種２９を保持するようにしたので、現場への施工前に予め保水ボード１３の表面に芝生の根を活着させたり、現場に保水ボード１３を設置した後にその保水ボード１３の表面にロール状の芝生を展開させて載置させる作業が不要となる。したがって、緑化ボード５を軽量な構成としながらも芝生を設置する別途の作業が不要となるため、その施工性を大幅に高めることができる。
【００７７】
さらに、植物１０の種２９を有孔シート２８によって適切に保水ボード１３上で保持できる。また、保水ボード１３の表面に複数の穴部４３を形成したので、種２９から発芽した植物１０の根をその穴部４３に容易に活着させることができる。その上、植物の根が活着する穴部４３に肥料を設けるようにしたので、好適に植物１０に栄養を与えてその育生を促進させることができる。
【００７８】
さらにまた、連結部材４０によって複数の保水ボード１３を互いに固定するようにしたので、各緑化ボード５の配置ずれを防止することができる。
【００７９】
《発明の実施形態２》
図１１は、本発明の実施形態２を示している。図１１は、本実施形態２における緑化システム１の構造を示す断面図である。尚、以降の各実施形態では、図１〜図１０と同じ部分については同じ符号を付して、その詳細な説明を省略する。
【００８０】
本実施形態２における緑化システム１は、図１１に示すように、植物１０が生育される複数の緑化ボード５と、緑化ボード５の下に設けられたシート状物としての透水耐根シート層２７とを備えている。有孔シート２８は、上記実施形態１と同様の構成である。
【００８１】
本実施形態２の緑化システム１は、例えば地盤１８の上に設けられている。そのことにより、当該地盤１８が植物が生育しにくい地質であっても、緑化システム１によって緑化することが可能になる。
【００８２】
地盤１８の表面には、上記実施形態１と同様に、厚みが０．１ｍｍ程度である透水耐根シート層２７が設けられている。そして、透水耐根シート層２７の表面に複数の緑化ボード５が設置されている。
【００８３】
本実施形態における緑化ボード５は、図１１に示すように、保水ボード１３と、保水ボード１３の表面に設けられた有孔シート２８とを有している。そして、本実施形態における緑化ボード５は、連結部材４０を有しない。
【００８４】
実施形態１と同様に、保水ボード１３は、比重が０．０５〜０．３程度である木質繊維板１９によって構成されている。保水ボード１３は、例えば縦及び横の長さがそれぞれ９０ｃｍである矩形板状に形成され、その厚みが１１ｍｍ程度である。また、保水ボード１３における少なくとも有孔シート２８側の表層部には、親水層２０が形成されている。
【００８５】
上記実施形態１における保水ボード１３には、裏面側に溝部５０が形成されていたのに対し、本実施形態における保水ボード１３には、この保水ボード１３の厚み方向に延びる複数の貫通孔５１が形成されている。尚、裏面側に溝部５０を形成した上で複数の貫通孔５１を形成するようにしてもよい。
【００８６】
したがって、この実施形態２によると、緑化ボード５が有孔シート２８を有するようにしたので、上記実施形態１と同様の効果が得られることに加え、保水ボード１３に複数の貫通孔５１を形成するようにしたので、植物１０の根の活着性を高めることができ、しかも、保水ボード１３自体に透水性を持たせることが可能となる。
【００８７】
尚、活着性を向上させるためには、内径が０．５ｍｍ〜１ｍｍ程度の穴でもよいが、透水性を確保するためには、貫通孔５１の内径を１ｍｍよりも大きくすることが望ましい。貫通孔５１の内径が１ｍｍ以下であれば、保水ボード１３が吸水によって膨潤することから、貫通孔５１が塞がってしまい、透水性が大きく低下する虞があるためである。
【００８８】
そのため、特に緑化ボード５の表面側から水遣りを行った場合、保水ボード１３の全体に確実に水を浸透させることが可能になる。さらに、例えば、緑化システム１を屋外に設置した場合における降雨等により、緑化システム１の表面に過剰な水が供給されたときには、その水を上記複数の貫通孔５１によって保水ボード１３の裏面側に流下させることができるため、この緑化システム１の排水性を飛躍的に高めることができる。
【００８９】
さらにまた、保水ボード１３の表面に複数の貫通孔５１が形成されているために、植物１０の根を当該保水ボード１３により好適に活着させることができる。
【００９０】
《その他の実施形態》
上記各実施形態では、保水ボード１３の有孔シート２８側の表面に複数の穴部４３を形成した例について説明したが、図１２に示すように、例えばその表面に複数の溝部４８を形成するようにしてもよい。この場合、さらに各溝部４８に肥料を設けるようにしてもよい。そのことにより、種２９から発芽した植物１０の根を、溝部４８において保水ボード１３の表面に容易に活着させることができる。さらに、活着した根に溝部４８内の肥料による栄養分を与えて、植物１０をより好適に生育させることができる。
【００９１】
また、本発明は上記実施形態１及び２に限定されるものでなく、本発明には、これらの実施形態１及び２を適宜組み合わせた構成が含まれる。
【産業上の利用可能性】
【００９２】
以上説明したように、本発明は、植物が生育される緑化ボード及びそれを備えた緑化システムについて有用である。
【符号の説明】
【００９３】
１      緑化システム 
５      緑化ボード 
１０      植物 
１３      保水ボード 
１９      木質繊維板 
２８      有孔シート 
２９      種 
４０      連結部材 
４３      穴部 
【図１】
2012223159.tif 000003
【図２】
2012223159.tif 000004
【図３】
2012223159.tif 000005
【図４】
2012223159.tif 000006
【図５】
2012223159.tif 000007
【図６】
2012223159.tif 000008
【図７】
2012223159.tif 000009
【図８】
2012223159.tif 000010
【図９】
2012223159.tif 000011
【図１０】
2012223159.tif 000012
【図１１】
2012223159.tif 000013
【図１２】
2012223159.tif 000014